(57)【要約】【課題】  例えば婦人用ハイヒールのように、踵を上げた状態で履く靴の着用時に生じる足の痛みを軽減することができる足被覆体および足サポート部材を提供する。【解決手段】  足を被覆する足被覆体１００であって、第１のサポートライン部１０１を含み、第１のサポートライン部１０１は、足被覆体１００の足裏側から足の甲側にかけて環状に配置されており、第１のサポートライン部１０１は、足被覆体１００の足裏側においては、中足骨頭の位置から基節骨の位置の間をとおり、足被覆体１００の足の甲側においては、中足骨体の位置から舟状骨または立方骨の位置の間をとおり、第１のサポートライン部１０１は、締め付ける力を付与するサポート力を含むことを特徴とする。【選択図】  図１
2014189936.tif 000002
【特許請求の範囲】
【請求項１】
足を被覆する足被覆体であって、
第１のサポートライン部を含み、
前記第１のサポートライン部は、前記足被覆体の足裏側から足の甲側にかけて環状に配置されており、
前記第１のサポートライン部は、前記足被覆体の足裏側においては、中足骨頭の位置から基節骨の位置の間をとおり、前記足被覆体の足の甲側においては、中足骨体の位置から舟状骨または立方骨の位置の間をとおり、
前記第１のサポートライン部は、締め付ける力を付与するサポート力を含むことを特徴とする足被覆体。
【請求項２】
さらに、第２のサポートライン部を含み、
前記第２のサポートライン部は、前記足被覆体の足の甲の位置から踵側にかけて足の甲を囲むように配置されており、
前記第２のサポートライン部は、前記足被覆体の足の甲の位置において、前記第１のサポートライン部と連結していることを特徴とする請求項１記載の足被覆体。
【請求項３】
前記第２のサポートライン部の踵側端部は、土踏まずよりも後側、かつ、足首から下側の領域に配置されていることを特徴とする請求項２記載の足被覆体。
【請求項４】
前記足被覆体がソックスであることを特徴とする請求項１から３のいずれか一項に記載の足被覆体。
【請求項５】
前記足被覆体が、少なくとも足指の付け根部を被覆する足被覆体であることを特徴とする請求項１記載の足被覆体。
【請求項６】
足サポート部材であって、
第１のサポートライン部を含み、
前記第１のサポートライン部は、前記足サポート部材の着用状態において、足裏側から足の甲側にかけて環状に配置され、
前記第１のサポートライン部は、足裏側においては、中足骨頭の位置から基節骨の位置の間をとおり、足の甲側においては、中足骨体の位置から舟状骨または立方骨の位置の間をとおり、
前記第１のサポートライン部は、締め付ける力を付与するサポート力を含むことを特徴とする足サポート部材。
【請求項７】
さらに、第２のサポートライン部を含み、
前記第２のサポートライン部は、前記足サポート部材の着用状態において、足の甲から踵側にかけて足の甲を囲むように配置され、
前記第２のサポートライン部は、足の甲の位置において、前記第１のサポートライン部と連結していることを特徴とする請求項６記載の足サポート部材。
【発明の詳細な説明】
【技術分野】
【０００１】
本発明は、足被覆体および足サポート部材に関する。
【背景技術】
【０００２】
従来、歩行時に生じる足の痛みを軽減するために、サポートライン部を有する靴下が用いられている。例えば、下記特許文献１では、第５中足骨全体部から足背中央部を通過し、足底アーチ部に到達する部分、足背中央部で左右足首部に分かれる部分、第１中足骨頭足背部から足底拇趾球部にそれぞれ難伸縮性領域を設けた靴下が提案されている。また、下記特許文献２では、裏側に、親指嵌入部及び小指嵌入部の各々から踵部側に延設され、着用した際に、足裏が凹状の湾曲した状態で、親指及び小指を踵部側に引き寄せるための弾性を有する引寄部を備える靴下が提案されている。
【先行技術文献】
【特許文献】
【０００３】
【特許文献１】特許第４６５４３４０号公報
【特許文献２】特開２００８―１２１１７７号公報
【発明の概要】
【発明が解決しようとする課題】
【０００４】
しかし、前記特許文献１および２の靴下は、ハイヒールを着用することを想定したものではないため、ハイヒール着用時に生じる足の痛みを解消できなかった。
【０００５】
そこで、本発明は、例えば婦人用ハイヒールのように、踵を上げた状態で履く靴の着用時に生じる足の痛みを軽減することができる足被覆体および足サポート部材を提供することを目的とする。
【課題を解決するための手段】
【０００６】
前記目的を達成するために、本発明の足被覆体は、
足を被覆する足被覆体であって、
第１のサポートライン部を含み、
前記第１のサポートライン部は、前記足被覆体の足裏側から足の甲側にかけて環状に配置されており、
前記第１のサポートライン部は、前記足被覆体の足裏側においては、中足骨頭の位置から基節骨の位置の間をとおり、前記足被覆体の足の甲側においては、中足骨体の位置から舟状骨または立方骨の位置の間をとおり、
前記第１のサポートライン部は、締め付ける力を付与するサポート力を含むことを特徴とする。
【０００７】
また、本発明の足サポート部材は、
第１のサポートライン部を含み、
前記第１のサポートライン部は、前記足サポート部材の着用状態において、足裏側から足の甲側にかけて環状に配置され、
前記第１のサポートライン部は、足裏側においては、中足骨頭の位置から基節骨の位置の間をとおり、足の甲側においては、中足骨体の位置から舟状骨または立方骨の位置の間をとおり、
前記第１のサポートライン部は、締め付ける力を付与するサポート力を含むことを特徴とする。
【発明の効果】
【０００８】
本発明の足被覆体および足サポート部材は、上記のような構成であるため、例えば婦人用ハイヒールのように、踵を上げた状態で履く靴の着用時に生じる足の痛みを軽減することができる。
【図面の簡単な説明】
【０００９】
【図１】図１は、本発明の第１の実施形態に係るソックス１００を示す図である。図１（ａ）は、ソックス１００の着用状態を親指側から見た側面図、図１（ｂ）は、ソックス１００の着用状態を足裏側から見た斜視図、図１（ｃ）は、ソックス１００の着用状態を上方向から見た図である。
【図２】図２（ａ）および図２（ｂ）は、前記第１の実施形態に係るソックス１００における第１のサポートライン部のサポート力を説明する図である。
【図３】図３（ａ）〜（ｃ）は、前記第１の実施形態に係るソックス１００における第１のサポートライン部のバリエーションを示す図である。
【図４】図４は、本発明の第２の実施形態に係るソックス２００を示す図である。図４（ａ）は、ソックス２００の着用状態を親指側から見た側面図、図４（ｂ）は、ソックス２００の着用状態を足裏側から見た斜視図、図４（ｃ）は、ソックス２００の着用状態を上方向から見た図である。
【図５】図５は、前記第２の実施形態に係るソックス２００における第２のサポートライン部の配置を説明する図である。
【図６】図６は、前記第２の実施形態に係るソックス２００における第２のサポートライン部の踵側端部のバリエーションを示す図である。
【図７】図７（ａ）〜（ｃ）は、前記第２の実施形態に係るソックス２００における第２のサポートライン部のバリエーションを示す図である。
【図８】図８は、本発明の第３の実施形態に係るタイツ３００を示す図である。図８（ａ）は、タイツ３００の正面図、図８（ｂ）は、タイツ３００の着用状態を親指側から見た側面図、図８（ｃ）は、タイツ３００の着用状態を足裏側から見た斜視図、図８（ｄ）は、タイツ３００の着用状態を上方向から見た図である。
【図９】図９は、本発明の第４の実施形態に係るソックス４００を示す図である。図９（ａ）は、ソックス４００の着用状態を親指側から見た側面図、図９（ｂ）は、ソックス４００の着用状態を足裏側から見た斜視図、図９（ｃ）は、ソックス４００の着用状態を上方向から見た図である。
【図１０】図１０（ａ）は、本発明の第５の実施形態に係るソックス５００の着用状態を親指側から見た側面図である。図１０（ｂ）は、前記第５の実施形態の変形例の図である。
【図１１】図１１は、本発明の第６の実施形態に係るソックス７００を示す図である。図１１（ａ）は、ソックス７００の着用状態を親指側から見た側面図、図１１（ｂ）は、ソックス７００の着用状態を足裏側から見た斜視図、図１１（ｃ）は、ソックス７００の着用状態を上方向から見た図である。
【図１２】図１２は、本発明の第７の実施形態に係るソックス８００の着用状態の斜視図である。
【図１３】図１３は、本発明の第８の実施形態に係る足サポート部材９００を示す図である。図１３（ａ）は、足サポート部材９００の着用状態を親指側から見た側面図、図１３（ｂ）は、足サポート部材９００の着用状態を足裏側から見た斜視図、図１３（ｃ）は、足サポート部材９００の着用状態を上方向から見た図である。
【図１４】図１４（ａ）〜（ｃ）は、前記第８の実施形態の変形例を示す図である。
【図１５】図１５は、本発明の第９の実施形態に係る足サポート部材１１００を示す図である。図１５（ａ）は、足サポート部材１１００の着用状態を親指側から見た側面図、図１５（ｂ）は、足サポート部材１１００の着用状態を足裏側から見た斜視図、図１５（ｃ）は、足サポート部材１１００の着用状態を上方向から見た図である。
【図１６】図１６（ａ）〜（ｃ）は、前記第９の実施形態の変形例を示す図である。
【図１７】図１７（ａ）〜（ｃ）は、着用評価の結果を示す図である。
【図１８】図１８は、着用評価の結果を示すグラフである。
【図１９】図１９（ａ）および図１９（ｂ）は、人体の右足の骨格を模式的に表した図である。
【図２０】図２０は、ハイヒール着用時に痛みを感じる部分について説明する図である。
【図２１】図２１は、ハイヒール着用時の体重のかかり方の一例を示す図である。
【図２２】図２２は、ハイヒール着用時の足の状態について説明する図である。
【図２３】図２３は、足の横足弓および縦足弓を模式的に示す図である。
【図２４】図２４（ａ）は、横アーチが崩れていない状態の足の指の付け根部分の状態を説明する図であり、図２４（ｂ）は、ハイヒールを着用して横アーチが崩れた状態の足の指の付け根部分の状態を説明する図である。
【発明を実施するための形態】
【００１０】
本発明の足被覆体および足サポート部材について、以下、例をあげて説明する。ただし、本発明は、以下の例に限定および制限されない。なお、下記図１〜図２４において、同一部分には同一の符号を付している。本発明において、位置を表す表現は、着用時を基準としている。
【００１１】
（第１の実施形態）
図１に、本発明の第１の実施形態に係る足被覆体１００を示す。本実施形態の足被覆体は、ソックスである。図１（ａ）は、ソックス１００の着用状態を親指側から見た側面図であり、図１（ｂ）は、ソックス１００の着用状態を足裏側から見た斜視図であり、図１（ｃ）は、ソックス１００の着用状態を上方向から見た図である。図１（ａ）および図１（ｂ）は、右足の図であり、図１（ｃ）は、左足の図である。また、図１（ａ）は、ハイヒールを着用した状態を示しており、破線で示す部分はヒールの部分である。図１（ａ）〜（ｃ）に示すように、本実施形態のソックス１００は、第１のサポートライン部１０１（以下、単に「サポートライン部１０１」ともいう。）を含む。
【００１２】
図１（ａ）〜（ｃ）に示すように、本発明において、サポートライン部１０１は、ソックス１００の足裏側から足の甲側にかけて環状に配置されている。図１９に人体の右足の骨格を模式的に表した図を示し、サポートライン部１０１の位置を具体的に説明する。図１９（ａ）は、人体の右足の骨格を足裏側から見た図であり、図１９（ｂ）は、足の甲側から見た図である。サポートライン部１０１は、ソックス１００の足裏側においては、中足骨頭Ｔの位置から基節骨Ｋの位置の間（図１９（ａ）中に斜線で示す領域）をとおり、ソックス１００の足の甲側においては、中足骨体Ｓの位置から舟状骨Ｌまたは立方骨Ｍの位置の間（図１９（ｂ）中に斜線で示す領域）をとおる。そして、本発明において、サポートライン部１０１は、締め付ける力を付与するサポート力を含んでいる。
【００１３】
ここで、ハイヒール等の踵を上げた状態で履く靴の着用時に生じる足の痛みの原因について説明する。図２０に示すように、ハイヒール着用時には、主に足の指Ｐおよび足の指の付け根部分Ｑに痛みが生じる。図２１に、一例として、体重５０Ｋｇの女性が９ｃｍのハイヒールを着用した場合の体重のかかり方を示す。図２１の上段は、裸足の状態を示し、下段は、９ｃｍのハイヒールを履いた状態を示す。まず、裸足の状態では、体重５０Ｋｇの場合、踵（図２１上段中に矢印Ｈで示す箇所）に３４Ｋｇ、つま先（図２１上段中に矢印Ｇで示す箇所）に１１Ｋｇという配分で体重が分散される。これに対し、９ｃｍのハイヒールを履くと、踵（図２１下段中に矢印Ｈで示す箇所）にかかる体重は１９Ｋｇであるのに対し、つま先（図２１下段中に矢印Ｇで示す箇所）にかかる体重が３１Ｋｇとなる。このように、ハイヒール着用時には、つま先に体重が集中する。その結果、足の指に力が入って指が曲がり、足全体が図２２に示すようにつま先側にすべるため、足の指に負担がかかる。
【００１４】
また、足裏は、図２３に示すように横足弓（以下「横アーチ」ともいう。）Ｘおよび縦足弓Ｙを有しており、これらの弓により、体重を分散させて歩行時の衝撃を吸収している。しかし、ハイヒール着用時には、前述のようにつま先に体重が集中する結果、図２４（ｂ）に示すように横アーチが崩れて、足の指の付け根部分に負担がかかる。なお、図２４（ａ）における右側の図が、横アーチが崩れていない状態の足の指の付け根部分（同図左側の図において二点鎖線で示す部分）の断面を模式的に表した図であり、図２４（ｂ）における右側の図が、ハイヒールを着用して横アーチが崩れた状態の足の指の付け根部分（同図左側の図において二点鎖線で示す部分）の断面を模式的に表した図である。このように、ハイヒール着用時には、足の指に負担がかかるとともに、足裏の横アーチが崩れて足の指の付け根部分に負担がかかるため、前述のように、主に足の指および足の指の付け根部分に痛みを感じる。
【００１５】
前述のように、本実施形態のソックス１００は、締め付ける力を付与するサポート力を含むサポートライン部１０１が、ソックス１００の足裏側においては、中足骨頭Ｔの位置から基節骨Ｋの位置の間、ソックス１００の足の甲側においては、中足骨体Ｓの位置から舟状骨Ｌまたは立方骨Ｍの位置の間をとおって、ソックス１００の足裏側から足の甲側にかけて環状に配置されている。これにより、本実施形態のソックス１００を着用すると、まず、図２（ａ）に示すように、サポートライン部１０１のサポート力によって足の指の付け根部分が上方向（図中に矢印Ｅ１で示す方向）に押し上げられるため、足の指を伸ばすことができ、足の指にかかる体重の負担を軽減することができる。そして、図２（ｂ）に示すように、サポートライン部１０１のサポート力によって、親指の付け根側と小指の付け根側とが横方向から支えられ、内側に向けて（図中に矢印Ｅ２で示す方向）押す力が働くため、足裏の横アーチが崩れるのを防ぐことができる。このように、本発明によれば、ハイヒール着用時に足の指および足の付け根部分にかかる負担が軽減されるため、ハイヒール着用時に生じる足の痛みを軽減することができる。
【００１６】
本発明において、サポートライン部１０１は、足裏側においては中足骨頭Ｔの位置から基節骨Ｋの位置の間、足の甲側においては中足骨体Ｓの位置から舟状骨Ｌまたは立方骨Ｍの位置の間を通っていればよい。本発明において、サポートライン部１０１の幅は特に制限されないが、例えば、０．５ｃｍ〜４．０ｃｍの範囲が好ましく、より好ましくは、１．０ｃｍ〜３．０ｃｍの範囲である。なお、サポートライン部１０１は、足裏側においては、土踏まずにかからないように、土踏まずよりもつま先側に配置されていることが好ましい。
【００１７】
本実施形態において、サポートライン部１０１は、ソックス１００の編み組織を部分的に変更することによって形成されている。その他、抜触加工によって、サポートライン部１０１に相当する部分をソックス１００の生地に形成するようにしてもよい。また、サポートライン部１０１は、締め付ける力を付与する素材をソックス１００に取り付けて形成されていてもよい。この場合、サポートライン部１０１に使用する素材は、締め付ける力を付与する素材であれば特に制限されないが、例えば、ストレッチテープ、パワーネット、ツーウェイトリコットもしくはダブルラッセル等の経編、ベア天竺等の丸編、丸編成型、ストッキング編成型、または、ソックス編成型等によって形成された素材があげられる。また、樹脂をソックス１００に塗布してサポートライン部１０１を形成してもよいし、伸縮性を有するテープ等を縫着または接着することによってサポートライン部１０１をソックス１００に形成するようにしてもよい。これらの方法によって、サポートライン部１０１にサポート力を付与することができる。なお、本発明において、サポートライン部１０１のサポート力は、ソックス１００におけるその他の部分より締め付け力が大きいことにより付与されていればよい。
【００１８】
本実施形態において、サポートライン部１０１は帯状であるが、サポートライン部１０１は、複数のサポート部が断続的に並ぶことによって形成されていてもよい。例えば、サポートライン部１０１は、図３（ａ）に示すように、複数の円形のサポート部が間隔をあけずに直線状に並ぶことによって形成されていてもよい。なお、図３（ａ）では、円形のサポート部が隙間なく並ぶ例を挙げているが、本発明はこれに限定されるものではなく、例えば、円形サポート部それぞれの間に所定の間隔が設けられていてもよい。この場合には、前記所定の間隔は、円形サポート部の直径と同等程度以下となるように設定すると、充分な締め付け力が得られるため好適である。また、図３（ｂ）に示すように、細幅のサポートラインを複数並べてサポートライン部を形成するようにしてもよい。さらに、サポートライン部１０１は、図３（ｃ）に示すようにレース状にする等、デザインを施してもよい。
【００１９】
本実施形態において、サポートライン部以外のソックス本体部に使用する素材は、特に制限されないが、例えば、綿、アクリル、ナイロン、ポリウレタン、ポリエステル等の素材があげられる。なお、これらの素材を商品の仕様に応じて複数用いてもよい。
【００２０】
本実施形態では、ふくらはぎより下の丈のソックスを例に挙げて説明したが、本発明はこれに限定されず、例えば、ハイソックス、タイツ等、種々の足被覆体に適用することができる。
【００２１】
（第２の実施形態）
図４に、本発明の第２の実施形態に係る足被覆体２００を示す。本実施形態の足被覆体は、ソックスである。図４（ａ）は、ソックス２００の着用状態を親指側から見た側面図であり、図４（ｂ）は、ソックス２００の着用状態を足裏側から見た斜視図であり、図４（ｃ）は、ソックス２００の着用状態を上方向から見た図である。図４（ａ）および図４（ｂ）は、右足の図であり、図４（ｃ）は、左足の図である。また、図４（ａ）は、ハイヒールを着用した状態を示しており、破線で示す部分はヒールの部分である。
【００２２】
図４（ａ）〜（ｃ）に示すように、本実施形態に係るソックス２００は、第１のサポートライン部１０１と、第２のサポートライン部２０２（以下、単に「サポートライン部２０２」ともいう。）とを含む。
【００２３】
本実施形態において、第２のサポートライン部２０２は、ソックス２００の足の甲の位置から踵側にかけて足の甲を囲むように配置されている。そして、第２のサポートライン部２０２は、ソックス２００の足の甲の位置Ｒにおいて、第１のサポートライン部１０１と連結している。このような第２のサポートライン部２０２を設けることにより、第２のサポートライン部２０２によって第１のサポートライン部１０１が支えられるため、第１のサポートライン部１０１の位置がずれることを防ぎ、第１のサポートライン部１０１のサポート力を持続的に足に及ぼすことができ、好ましい。
【００２４】
本実施形態において、第２のサポートライン部２０２の踵側端部２０２Ａは、踵の下に配置されている。ただし、本発明はこれに限られず、第２のサポートライン部２０２の踵側端部２０２Ａは、土踏まずよりも後側、かつ、足首から下側の領域Ｗ（図５に斜線で示す領域）に配置されていればよい。ここで、前後、上下は、着用者からみた方向を示す。前記領域Ｗにサポートライン部２０２の踵側端部２０２Ａが配置されれば、踵側でサポートライン部１０１を支えることができ、サポートライン部１０１の位置がずれることを防ぐことができる。
【００２５】
サポートライン部２０２と、サポートライン部１０１との連結位置Ｒは、外側楔状骨（図１９（ｂ）に示すα）、中間楔状骨（図１９（ｂ）に示すβ）、内側楔状骨（図１９（ｂ）に示すγ）のうち、いずれかを覆う位置にあることが好ましい。この位置が支点となってサポートライン部１０１が支えられることにより、効果的にサポートライン部１０１のサポート力を足に及ぼすことができる。
【００２６】
図４（ａ）〜（ｃ）に示すように、本実施形態において、サポートライン部２０２は環状のライン部となっている。しかし、本発明はこれに限られず、例えば、図６に示すように、サポートライン部２０２の踵側端部２０２Ａは、連結されていなくてもよい。サポートライン部２０２は、踵側端部２０２Ａが連結されていなくても、前記領域Ｗ内にまで伸ばされていれば、踵側でサポートライン部１０１を支えることが可能である。
【００２７】
本実施形態において、サポートライン部２０２は、ソックス２００の編み組織を部分的に変更することによって形成されている。その他、抜触加工によって、サポートライン部２０２に相当する部分をソックス２００の生地に形成するようにしてもよい。また、サポートライン部２０２は、締め付ける力を付与する素材をソックス２００に取り付けて形成されていてもよい。この場合、サポートライン部２０２に使用する素材は、締め付ける力を付与する素材であれば特に制限されないが、例えば、ストレッチテープ、パワーネット、ツーウェイトリコットもしくはダブルラッセル等の経編、ベア天竺等の丸編、丸編成型、ストッキング編成型、または、ソックス編成型等によって形成された素材があげられる。また、樹脂をソックス２００に塗布してサポートライン部２０２を形成してもよいし、伸縮性を有するテープ等を縫着または接着することによってサポートライン部２０２をソックス２００に形成するようにしてもよい。これらの方法によって、サポートライン部２０２にサポート力を付与することができる。なお、本発明において、サポートライン部２０２のサポート力は、ソックス２００におけるその他の部分より締め付け力が大きいことにより付与されていればよい。
【００２８】
本実施形態において、サポートライン部２０２は帯状であるが、サポートライン部２０２は、複数のサポート部が断続的に並ぶことによって形成されていてもよい。例えば、サポートライン部２０２は、図７（ａ）に示すように、複数の円形のサポート部が間隔をあけずに直線状に並ぶことによって形成されていてもよい。なお、図７（ａ）では、複数の円形のサポート部が隙間なく並ぶ例を挙げて説明しているが、本発明はこれに限定されるものではなく、例えば、円形のサポート部それぞれの間に所定の間隔が設けられていてもよい。この場合には、前記所定の間隔は、円形のサポート部の直径と同等程度以下となるように設定すると、充分な締め付け力が得られるため好ましい。この場合にも、本実施形態と同様の効果を得ることができる。また、図７（ｂ）に示すように、細幅のサポートラインを複数並べてサポートライン部を形成するようにしてもよい。さらに、サポートライン部２０２は、図７（ｃ）に示すようにレース状にする等、デザインを施してもよい。また、本実施形態において、サポートライン部１０１とサポートライン部２０２とは、同じデザインであってもよいし、例えば、サポートライン部１０１のみをレース状にし、サポートライン部２０２は帯状にする等、異なるデザインであってもよい。
【００２９】
（第３の実施形態）
図８に、本発明の第３の実施形態に係る足被覆体３００を示す。本実施形態の足被覆体は、タイツである。図８（ａ）は、タイツ３００の正面図である。そして、図８（ｂ）は、タイツ３００の着用状態を親指側から見た側面図であり、図８（ｃ）は、タイツ３００の着用状態を足裏側から見た斜視図であり、図８（ｄ）は、タイツ３００の着用状態を上方向から見た図である。図８（ｂ）および図８（ｃ）は、右足の図であり、図８（ｄ）は、左足の図である。図８（ｂ）は、ハイヒールを着用した状態を示しており、破線で示す部分はヒールの部分である。
【００３０】
本実施形態は、タイツである他は、前記第２の実施形態と同様である。このように、本発明は、タイツにも好適に用いることができる。なお、本実施形態は、前記第２の実施形態と同様のサポートライン部を含むタイツであるが、本発明はこれに限られず、前記第１の実施形態と同様、第１のサポートライン部のみを含むタイツとすることもできる。
【００３１】
（着用客観評価）
図８に示すタイプの本発明の第３の実施形態に係るタイツ３００を作製し、着用評価を行った。本評価では、モニター１５名が前記タイツ３００を着用し、８ｃｍのハイヒールを着用して３歩歩行した際の、足裏にかかる圧力の分布を測定した。また、比較例として、サポートライン部を有さないタイツ（従来品のタイツ）についても、同様にして、足裏にかかる圧力の分布を測定した。
【００３２】
その結果を、図１７に示す。図１７（ａ）は、本発明のタイツ３００の結果を示し、図１７（ｂ）は、従来品のタイツの結果を示す。図１７（ａ）および図１７（ｂ）において、破線で囲む部分は、図１７（ｃ）に示すように足の指の接地部分である。また、図１７（ａ）および図１７（ｂ）において、二点鎖線で囲む部分は、図１７（ｃ）に示すように足の指の付け根の部分である。図１７（ａ）および（ｂ）では、高い圧力がかかっている部分ほど濃く示している。まず、図１７（ａ）では、図１７（ｂ）よりも足の指の接地面積が広くなっている。これにより、本発明のタイツ３００着用時には、従来品のタイツ着用時と比べ、足の指が曲がっていないことがわかる。次に、図１７（ｂ）では、足の指の付け根の中央部に圧力が集中してかかっているのに対し、図１７（ａ）では、図１７（ｂ）よりも足の指の付け根部分にかかる圧力が分散している。これにより、本発明のタイツ３００着用時には、従来品のタイツ着用時と比べ、足の横アーチを保つことができていることがわかる。本評価では、１５名中１３名に、この結果と同じ傾向が見られた。このように、本発明のタイツ３００は、ハイヒール着用時の足の指の負担および足の指の付け根部分の負担を軽減できることがわかった。
【００３３】
（着用主観評価）
［評価１］
図８に示すタイプの本発明の第３の実施形態に係るタイツ３００を作製し、着用評価を行った。本評価では、モニター６名に前記タイツ３００を着用してもらい、５ｃｍ〜９ｃｍのお気に入りのハイヒールを履いて３時間過ごしてもらった。そして、３０分毎に、足の痛みを５段階（１：全く痛くない、３：我慢できるが痛い、５：脱ぎたいほど痛い）で評価してもらった。また、比較例として、同じモニター６名に、サポートライン部を有さないタイツ（従来品のタイツ）を着用して上記と同様の５ｃｍ〜９ｃｍのハイヒールを履いて３時間過ごしてもらい、同様に足の痛みを評価してもらった。
【００３４】
その結果を、図１８に示す。図１８において、実線のグラフは、本発明のタイツ３００を着用した際の各モニターの評価の平均を示し、二点鎖線のグラフは、従来のタイツを着用した際の各モニターの評価の平均を示す。図１８に示すように、従来品のタイツを着用した場合には、１５分経過後から痛みの度合いが上昇していき、２時間経過前に、「３：我慢できるが痛い」にまで達しているのに対し、本発明のタイツ３００を着用した場合には、２時間経過近くまで「１：全く痛くない」の評価が続き、３時間を経過した時点でも、ほとんど痛みは感じられていない。
【００３５】
［評価２］
図８に示すタイプの本発明の第３の実施形態に係るタイツ３００を作製し、着用評価を行った。本評価では、モニター１２名に前記タイツ３００を着用してもらい、５〜９ｃｍのお気に入りのハイヒールを履いて一日過ごしてもらった。また、比較例として、同じモニター１２名に、サポートライン部を有さないタイツ（従来品のタイツ）を着用してもらい、上記と同様の５〜９ｃｍのハイヒールを履いて一日過ごしてもらった。
【００３６】
その結果、１２名中９名が、本発明のタイツ３００の方が足が痛くなかったと回答した。また、１２名中９名が、本発明のタイツ３００の方が歩きやすかったと回答した。また、本発明のタイツ３００の着用感について、モニターにコメントを求めたところ、「前すべりが少なく、足全体が疲れにくい」、「アーチができた感じがして、足裏も足指も痛くない」、という回答が得られた。また、本発明のタイツ３００およびハイヒールを着用してすぐに感じられることについて、モニターにコメントを求めたところ、「足裏が持ち上がる」、「足幅が小さくなって靴が履きやすい」という回答が得られた。これにより、本発明のタイツ３００は、ハイヒール着用時の足の痛みを軽減し、長時間ハイヒールを履いても足が疲れにくいことが確認できた。
【００３７】
（第４の実施形態）
図９に、本発明の第４の実施形態に係る足被覆体４００を示す。本実施形態の足被覆体は、ソックスである。図９（ａ）は、ソックス４００の着用状態を親指側から見た側面図であり、図９（ｂ）は、ソックス４００の着用状態を足裏側から見た斜視図であり、図９（ｃ）は、ソックス４００の着用状態を上方向から見た図である。図９（ａ）および図９（ｂ）は、右足の図であり、図９（ｃ）は、左足の図である。また、図９（ａ）は、ハイヒールを着用した状態を示しており、破線で示す部分はヒールの部分である。
【００３８】
本実施形態に係るソックス４００では、第２のサポートライン部４０２の踵側端部４０２Ａが、踵の下ではなく足首の下の位置を通っている。その他は、前記第２の実施形態と同様である。
【００３９】
前述のように、本発明において、第２のサポートライン部の踵側端部は、土踏まずよりも後側、かつ、足首から下側の領域Ｗ（図５に斜線で示す領域）に配置されていればよい。このように、本発明において、第２のサポートライン部の位置は、デザイン等に応じて、前記領域Ｗ内で適宜設定することができる。
【００４０】
（第５の実施形態）
図１０（ａ）に、本発明の第５の実施形態に係る足被覆体５００を示す。本実施形態の足被覆体は、ソックスである。図１０（ａ）は、ソックス５００の着用状態を親指側から見た側面図である。また、図１０（ａ）は、ハイヒールを着用した状態の右足を示しており、破線で示す部分はヒールの部分である。
【００４１】
本実施形態に係るソックス５００は、足首まで覆われず、くるぶしが出るタイプのソックスである。本実施形態において、その他は、前記第２の実施形態と同様である。なお、本実施形態は、前記第２の実施形態と同様のサポートライン部を含むが、本発明はこれに限られず、前記第１の実施形態と同様、第１のサポートライン部のみを含んでいてもよい。
【００４２】
また、図１０（ｂ）に、前記第５の実施形態の変形例であるソックス６００を示す。図１０（ｂ）に示すように、ソックス６００は、足指が覆われていないタイプのソックスである。
【００４３】
このように、本発明では、ソックス本体部の態様は特に制限されず、靴の形状または実現したいデザインに応じて適宜決定することができる。
【００４４】
（第６の実施形態）
図１１に、本発明の第６の実施形態に係る足被覆体７００を示す。本実施形態の足被覆体は、ソックスである。図１１（ａ）は、ソックス７００の着用状態を親指側から見た側面図であり、図１１（ｂ）は、ソックス７００の着用状態を足裏側から見た斜視図であり、図１１（ｃ）は、ソックス７００の着用状態を上方向から見た図である。図１１（ａ）および図１１（ｂ）は、右足の図であり、図１１（ｃ）は、左足の図である。また、図１１（ａ）は、ハイヒールを着用した状態を示しており、破線で示す部分はヒールの部分である。
【００４５】
本実施形態に係るソックス７００は、ソックス本体部７０３によって足の指の付け根部分のみが覆われているタイプのソックスである。ソックス７００は、前記第１の実施形態と同様のサポートライン部１０１を有する。
【００４６】
また、本実施形態において、ソックス７００は、紐状部材７０４を含む。紐状部材７０４は、足の甲の位置でソックス本体部７０３と連結しており（連結点Ｒ１）、この連結点Ｒ１から踵側にかけて足の甲を囲むように配置されている。このような紐状部材７０４を有することにより、紐状部材７０４が前記実施形態２〜５における第２のサポートライン部と同様の機能を果たし、サポートライン部１０１の位置がずれるのを防ぐことができるため、好ましい。
【００４７】
本実施形態において、紐状部材７０４の踵側端部７０４Ａは、図５に示す前記領域Ｗ内に配置されていればよい。ただし、本実施形態では、紐状部材７０４は、踵の下側ではなく足首に架け渡されている方が、位置が安定するため好ましい。
【００４８】
本実施形態において、紐状部材７０４に使用できる素材は、特に制限されないが、例えば、ナイロン、ポリウレタン等があげられる。
【００４９】
なお、本実施形態では、ソックス本体部７０３にサポートライン部１０１が形成されている例をあげて説明したが、例えば、ソックス本体部７０３をサポート力を有する素材で形成し、ソックス本体部７０３がサポートライン部１０１を兼ねるようにしてもよい。
【００５０】
（第７の実施形態）
図１２に、本発明の第７の実施形態に係る足被覆体８００を示す。本実施形態の足被覆体は、ソックスである。図１２は、ソックス８００の着用状態を斜め上方向から見た斜視図である。図１２は、左足の図である。
【００５１】
本実施形態に係るソックス８００は、ソックス本体部８０３によって足の指の付け根部分のみが覆われている。そして、ソックス８００は、ソックス本体部８０３と同じ素材で形成された帯状部材８０４を含む。本実施形態において、ソックス本体部８０３と帯状部材８０４とは、一体に形成されている。
【００５２】
図１２に示すように、本実施形態に係るソックス８００は、前記第１の実施形態と同様のサポートライン部１０１を有する。本実施形態において、帯状部材８０４は、足の甲の位置でソックス本体部８０３と連結しており（連結点Ｒ２）、この連結点Ｒ２から踵側にかけて足の甲を囲むように配置されている。なお、本実施形態において、ソックス本体部８０３と帯状部材８０４とが別部材ではなく一体で形成されていることは、前述のとおりである。本実施形態では、帯状部材８０４が前記実施形態２〜５における第２のサポートライン部と同様の機能を果たし、サポートライン部１０１の位置がずれるのを防ぐことができる。
【００５３】
本実施形態において、帯状部材８０４の踵側端部８０４Ａは、図５に示す前記領域Ｗ内に配置されていればよい。ただし、本実施形態では、帯状部材８０４は、踵の下側ではなく足首に架け渡されている方が、位置が安定するため好ましい。
【００５４】
前述のように、本実施形態において、ソックス本体部８０３と帯状部材８０４とは、同じ素材で一体に形成されている。そのため、例えば、ソックス本体部８０３および帯状部材８０４をレース素材で形成する等、デザイン性の高いソックスを実現することができる。なお、本実施形態では、ソックス本体部８０３にサポートライン部１０１が形成されている例をあげて説明したが、例えば、ソックス本体部８０３および帯状部材８０４をサポート力を有する素材で形成し、ソックス本体部８０３がサポートライン部１０１を兼ねるようにしてもよい。
【００５５】
（第８の実施形態）
図１３に、本発明の第８の実施形態に係る足サポート部材９００を示す。図１３（ａ）は、足サポート部材９００の着用状態を親指側から見た側面図であり、図１３（ｂ）は、足サポート部材９００の着用状態を足裏側から見た斜視図であり、図１３（ｃ）は、足サポート部材９００の着用状態を上方向から見た図である。図１３（ａ）および図１３（ｂ）は、右足の図であり、図１３（ｃ）は、左足の図である。また、図１３（ａ）は、ハイヒールを着用した状態を示しており、破線で示す部分はヒールの部分である。
【００５６】
図１３（ａ）〜（ｃ）に示すように、本実施形態に係る足サポート部材９００は、足を被覆する本体部を有さず、第１のサポートライン部９０１のみによって構成されている帯状のサポーターである。
【００５７】
本実施形態において、第１のサポートライン部９０１に使用できる素材は、例えば、アクリル、レーヨン、ポリエステル、ナイロン、ポリウレタン、シリコンゴム等があげられる。本実施形態の第１のサポートライン部９０１について、その他は、前記第１の実施形態における第１のサポートライン部１０１と同様である。このように、本発明は、サポートライン部のみで構成される足サポート部材としても用いることができる。
【００５８】
本実施形態において、足サポート部材９００は、切れ目なく環状に形成されていてもよいし、帯状部材の両端部が連結部材で着脱可能に連結されて形成されていてもよい。本実施形態に使用できる連結部材は、特に制限されないが、例えば、ホック、面ファスナー等があげられる。
【００５９】
また、図１４に、前記第８の実施形態の変形例１０００を示す。本例は、足被覆部１００３に第１のサポートライン部１０１が設けられているタイプのサポーターである。このように、本発明は、種々のタイプのサポーターに用いることができる。
【００６０】
（第９の実施形態）
図１５に、本発明の第９の実施形態に係る足サポート部材１１００を示す。図１５（ａ）は、足サポート部材１１００の着用状態を親指側から見た側面図であり、図１５（ｂ）は、足サポート部材１１００の着用状態を足裏側から見た斜視図であり、図１５（ｃ）は、足サポート部材１１００の着用状態を上方向から見た図である。図１５（ａ）および図１５（ｂ）は、右足の図であり、図１５（ｃ）は、左足の図である。また、図１５（ａ）は、ハイヒールを着用した状態を示しており、破線で示す部分はヒールの部分である。
【００６１】
図１５（ａ）〜（ｃ）に示すように、本実施形態に係る足サポート部材１１００は、第１のサポートライン部９０１と、第２のサポートライン部１１０２とで構成されている帯状のサポーターである。本実施形態において、第２のサポートライン部１１０２は、足の甲の位置において、第１のサポートライン部９０１と連結している。
【００６２】
本実施形態において、第２のサポートライン部１１０２に使用できる素材は、例えば、アクリル、レーヨン、ポリエステル、ナイロン、ポリウレタン、シリコンゴム等があげられる。本実施形態の第２のサポートライン部１１０２について、その他は、前記第２の実施形態における第２のサポートライン部２０２と同様である。
【００６３】
本実施形態において、第２のサポートライン部１１０２は、切れ目なく環状に形成されていてもよいし、帯状部材の両端部が連結部材で着脱可能に連結されて形成されていてもよい。本実施形態に使用できる連結部材は、特に制限されないが、例えば、ホック、面ファスナー等があげられる。また、本実施形態において、第１のサポートライン部９０１と第２のサポートライン部１１０２とは、一体に形成されていてもよいし、それぞれ別部材で形成して連結されていてもよい。
【００６４】
また、図１６に、前記第９の実施形態の変形例１２００を示す。本例は、足被覆部１２０３に第１のサポートライン部１０１および第２のサポートライン部２０２が設けられているタイプのサポーターである。
【００６５】
以上、本発明の具体例として、ソックス、タイツおよびサポーターをあげて本発明を説明したが、本発明の足被覆体および足サポート部材は、これらの具体例で記載されたもののみに限定されるものではなく、種々の態様が可能である。例えば、本発明は、上記の実施形態のようなソックスおよびタイツ以外にも、ストッキングその他各種の足被覆体に適用できる。
【産業上の利用可能性】
【００６６】
本発明の足被覆体および足サポート部材は、例えば婦人用ハイヒールのように、踵を上げた状態で履く靴の着用時に生じる足の痛みを軽減することができ、その用途は限定されず広い分野で使用することができる。
【符号の説明】
【００６７】
１００、２００、４００、５００、６００、７００、８００    足被覆体（ソックス）
３００    足被覆体（タイツ）
９００、１０００、１１００、１２００    足サポート部材（サポーター）
１０１、９０１    第１のサポートライン部
２０２、４０２、１１０２    第２のサポートライン部
２０２Ａ、４０２Ａ、７０４Ａ、８０４Ａ    踵側端部
７０３、８０３    ソックス本体部
７０４    紐状部材
８０４    帯状部材
１００３、１２０３    足被覆部
中足骨頭  Ｔ
基節骨  Ｋ
中足骨体  Ｓ
舟状骨  Ｌ
立方骨  Ｍ
【図１】
2014189936.tif 000003
【図２】
2014189936.tif 000004
【図３】
2014189936.tif 000005
【図４】
2014189936.tif 000006
【図５】
2014189936.tif 000007
【図６】
2014189936.tif 000008
【図７】
2014189936.tif 000009
【図８】
2014189936.tif 000010
【図９】
2014189936.tif 000011
【図１０】
2014189936.tif 000012
【図１１】
2014189936.tif 000013
【図１２】
2014189936.tif 000014
【図１３】
2014189936.tif 000015
【図１４】
2014189936.tif 000016
【図１５】
2014189936.tif 000017
【図１６】
2014189936.tif 000018
【図１７】
2014189936.tif 000019
【図１８】
2014189936.tif 000020
【図１９】
2014189936.tif 000021
【図２０】
2014189936.tif 000022
【図２１】
2014189936.tif 000023
【図２２】
2014189936.tif 000024
【図２３】
2014189936.tif 000025
【図２４】
2014189936.tif 000026